(57)【要約】【課題】  オンライン上でダウンロードした仮想ＣＤイメージファイルを複製して，他のコンピュータで不正使用することを防止する方法を提供する。【解決手段】  仮想ＣＤプログラムの実行時に，ユーザコンピュータの固有番号を仮想ＣＤプログラム内に一時的に貯蔵する段階と；サーバからダウンロードされた仮想ＣＤイメージファイルに仮想ＣＤプログラム内に一時的に貯蔵された固有番号を貯蔵する段階と；仮想ＣＤイメージファイルの再生が選択された場合，仮想ＣＤプログラム内に一時的に貯蔵された固有番号と仮想ＣＤイメージファイルに貯蔵された固有番号を比較する段階と；比較の結果，それぞれの固有番号が互いに一致しない場合，仮想ＣＤプログラムを通じて仮想ＣＤイメージファイルが読み出されることを遮断する段階と；を含むことを特徴とする。【選択図】  図２
2004185599.tif 000002
【特許請求の範囲】
【請求項１】
コンピュータに貯蔵された仮想ＣＤイメージファイルを再生することができる状態に読み出す仮想ＣＤプログラムを利用した仮想ＣＤイメージファイルの不正使用防止方法において，
前記仮想ＣＤプログラムの実行時に，ユーザコンピュータの固有番号を前記仮想ＣＤプログラム内に一時的に貯蔵する第１段階と；
前記ユーザコンピュータを通じて所定の仮想ＣＤイメージファイルを提供するサーバに接続する第２段階と；
ユーザが前記サーバで提供する仮想ＣＤイメージファイルを前記ユーザコンピュータにダウンロードする第３段階と；
前記ダウンロードされた仮想ＣＤイメージファイルに前記仮想ＣＤプログラム内に一時的に貯蔵された固有番号を貯蔵する第４段階と；
前記仮想ＣＤイメージファイルの再生が選択された場合，前記仮想ＣＤプログラム内に一時的に貯蔵された固有番号と前記仮想ＣＤイメージファイルに貯蔵された固有番号とを比較する第５段階と；
前記比較の結果，前記仮想ＣＤプログラム内に一時的に貯蔵された固有番号と前記仮想ＣＤイメージファイルに貯蔵された固有番号とが互いに一致しない場合，前記仮想ＣＤプログラムを通じて前記仮想ＣＤイメージファイルが読み出されることを遮断する第６段階と；
を含むことを特徴とする，仮想ＣＤイメージファイルの不正使用防止方法。
【請求項２】
前記第１段階は，前記ユーザコンピュータのＣＭＯＳ−ＲＡＭから前記固有番号を読み出して前記仮想ＣＤプログラムの内に貯蔵する段階であることを特徴とする，請求項１に記載の仮想ＣＤイメージファイルの不正使用防止方法。
【請求項３】
前記第２及び第３段階は，前記仮想ＣＤプログラム内のＦＴＰモジュールを駆動して行われることを特徴とする，請求項１または２に記載の仮想ＣＤイメージファイルの不正使用防止方法。
【請求項４】
前記第２段階のサーバの接続時，ユーザの接続可否を判断する段階をさらに含むことを特徴とする，請求項１〜３のいずれかに記載の仮想ＣＤイメージファイルの不正使用防止方法。
【請求項５】
前記第３段階の仮想ＣＤイメージファイルのダウンロード時に，前記ユーザの前記仮想ＣＤイメージファイルの使用権限の可否を判断する認証番号を入力する段階をさらに含むことを特徴とする，請求項１〜４のいずれかに記載の仮想ＣＤイメージファイルの不正使用防止方法。
【請求項６】
前記ダウンロードされた仮想ＣＤイメージファイルの使用のためのＣＤキーが前記サーバから送られる段階をさらに含むことを特徴とする，請求項１〜５のいずれかに記載の仮想ＣＤイメージファイルの不正使用防止方法。
【請求項７】
コンピュータに貯蔵された仮想ＣＤイメージファイルを再生することができる状態に読み出す仮想ＣＤプログラムを利用した仮想ＣＤイメージファイルの不正使用防止方法において，
前記仮想ＣＤプログラムの実行時に，ユーザコンピュータの固有番号を前記仮想ＣＤプログラムが指定した前記コンピュータの任意の場所に貯蔵する第１段階と；
前記ユーザコンピュータを通じて所定の仮想ＣＤイメージファイルを提供するサーバに接続する第２段階と；
ユーザが前記サーバに提供する仮想ＣＤイメージファイルを前記ユーザコンピュータにダウンロードする第３段階と；
前記ダウンロードされた仮想ＣＤイメージファイルに前記ユーザコンピュータに貯蔵された固有番号を貯蔵する第４段階と；
前記仮想ＣＤイメージファイルの再生が選択された場合，前記ユーザコンピュータに貯蔵された固有番号と前記仮想ＣＤイメージファイルに貯蔵された固有番号とを比較する第５段階と；
前記比較の結果，前記ユーザコンピュータに貯蔵された固有番号と前記仮想ＣＤイメージファイルに貯蔵された固有番号とが互いに一致しない場合，前記仮想ＣＤプログラムを通じて前記仮想ＣＤイメージファイルが読み出されることを遮断する第６段階と；
を含むことを特徴とする，仮想ＣＤイメージファイルの不正使用防止方法。
【請求項８】
前記第１段階は，前記ユーザコンピュータのＣＭＯＳ−ＲＡＭから前記固有番号を読み出して前記ユーザコンピュータに貯蔵する段階であることを特徴とする，請求項７に記載の仮想ＣＤイメージファイルの不正使用防止方法。
【請求項９】
前記第２及び第３段階は，前記仮想ＣＤプログラム内のＦＴＰモジュールを駆動して行われることを特徴とする，請求項７または８に記載の仮想ＣＤイメージファイルの不正使用防止方法。
【請求項１０】
前記第２段階のサーバの接続時，ユーザの接続可否を判断する段階をさらに含むことを特徴とする，請求項７〜９のいずれかに記載の仮想ＣＤイメージファイルの不正使用防止方法。
【請求項１１】
前記第３段階の仮想ＣＤイメージファイルのダウンロード時に，前記ユーザの前記仮想ＣＤイメージファイルの使用権限の可否を判断する認証番号を入力する段階をさらに含むことを特徴とする，請求項７〜１０のいずれかに記載の仮想ＣＤイメージファイルの不正使用防止方法。
【請求項１２】
前記ダウンロードされた仮想ＣＤイメージファイルの使用のためのＣＤキーが前記サーバから送られる段階をさらに含むことを特徴とする，請求項７〜１１のいずれかに記載の仮想ＣＤイメージファイルの不正使用防止方法。
【発明の詳細な説明】
【技術分野】
【０００１】
本発明は，コンピュータに貯蔵された仮想ＣＤイメージファイルを再生することができる状態に読み出す仮想ＣＤプログラムを利用した，仮想ＣＤイメージファイルの不正使用（不法使用）の防止方法に関する。
【背景技術】
【０００２】
高速インターネット技術が発展することにより，インターネットを通じてソフトウェア等のデータをダウンロードして利用することが多くなった。しかし，一般的なゲームタイトルのように，もとのＣＤをＣＤ−ＲＯＭに入れた状態で実行しなければならないソフトウェアの場合には，インターネットを通じてファイルをダウンロードしてプログラムをインストール及び実行することができないという問題点がある。従って，このような問題点を解消するために，仮想ＣＤプログラムが補給されて，ゲームタイトルのようなソフトウェアを仮想ＣＤプログラムで使用できるＣＤのイメージ形態に作って，ＣＤを利用せずにもインターネットを通じてこれをダウンロードして仮想ＣＤプログラムを利用してインストール及び実行することができるようになった。
【０００３】
仮想ＣＤプログラムとは，コンピュータのハードディスク空間に，ＣＤ−ＲＯＭドライブに代えることができる仮想のＣＤ−ＲＯＭドライブを作り，ＣＤ−ＲＯＭの全ての情報をイメージファイルとして保管しておくことにより，ＣＤがなくてもＣＤの読み出し及び実行をすることができるソフトウェアをいう。仮想ＣＤ−ＲＯＭドライブ上のイメージファイルは，物理的なＣＤ−ＲＯＭに収録された全てのデータと情報をコンピュータディスク上にファイル形態に存在することとして仮想のＣＤ−ＲＯＭドライブが作動するために基本的に必要な情報を収録したヘッダ部分と，ＣＤ−ＲＯＭデータ及び情報が収録された部分とから構成されている。
【０００４】
このようなイメージファイルをダウンロードしてインストール及び利用するまでの過程を説明すると次の通りである。まず，ユーザは，インターネットを通じてダウンロードしようとするイメージファイルが貯蔵されたサーバに接続した後，あらかじめ定められたＩＤとパスワードを入力して，イメージファイルをダウンロードする権限があることが認証される。次に，ユーザは，希望するイメージファイルをサーバからダウンロードして，仮想ＣＤ−プログラムを実行してダウンロードしたイメージファイルを利用することができるようになる。
【発明の開示】
【発明が解決しようとする課題】
【０００５】
ところが，上記従来の方法では，イメージファイルのダウンロード権限を有しているユーザがサーバからダウンロードしたイメージファイルを，ダウンロード権限のないユーザが複写して使用することができるので，仮想イメージファイルの不正使用を防止することができないという問題があった。
【０００６】
本発明の目的は，オンライン上でダウンロードした仮想ＣＤイメージファイルを複製して，ほかのコンピュータで使用することを防止することの可能な，新規かつ改良された仮想ＣＤイメージファイルの不正使用防止方法を提供することである。
【課題を解決するための手段】
【０００７】
上記目的を達成するための本発明は，コンピュータに貯蔵された仮想ＣＤイメージファイルを再生することができる状態に読み出す仮想ＣＤプログラムを利用した仮想ＣＤイメージファイルの不正使用防止方法において，前記仮想ＣＤプログラムの実行時に，ユーザコンピュータの固有番号を前記仮想ＣＤプログラム内に一時的に貯蔵する第１段階と；前記ユーザコンピュータを通じて所定の仮想ＣＤイメージファイルを提供するサーバに接続する第２段階と；ユーザが前記サーバで提供する仮想ＣＤイメージファイルを前記ユーザコンピュータにダウンロードする第３段階と；前記ダウンロードされた仮想ＣＤイメージファイルに前記仮想ＣＤプログラム内に一時的に貯蔵された固有番号を貯蔵する第４段階と；前記仮想ＣＤイメージファイルの再生が選択された場合，前記仮想ＣＤプログラム内に一時的に貯蔵された固有番号と前記仮想ＣＤイメージファイルに貯蔵された固有番号とを比較する第５段階と；前記比較の結果，前記仮想ＣＤプログラム内に一時的に貯蔵された固有番号と前記仮想ＣＤイメージファイルに貯蔵された固有番号とが互いに一致しない場合，前記仮想ＣＤプログラムを通じて前記仮想ＣＤイメージファイルが読み出されることを遮断する第６段階と；を含むことを特徴とする。
【０００８】
ここで，前記第１段階は，前記ユーザコンピュータのＣＭＯＳ−ＲＡＭから前記固有番号を読み出して前記仮想ＣＤプログラムの内に貯蔵する段階であることが好ましい。
【０００９】
また，前記第２及び第３段階は，前記仮想ＣＤプログラム内のＦＴＰモジュールを駆動して行われる段階であることが好ましい。
【００１０】
また，前記第２段階のサーバの接続時，ユーザの接続可否を判断する段階をさらに含むことが好ましい。
【００１１】
また，前記第３段階の仮想ＣＤイメージファイルのダウンロード時に，前記ユーザの前記仮想ＣＤイメージファイルの使用権限の可否を判断する認証番号を入力する段階をさらに含むことにより，認証番号を通じてデータのダウンロード権限の可否を判断することができるようにすることが好ましい。
【００１２】
また，前記ダウンロードされた仮想ＣＤイメージファイルの使用のためのＣＤキーが前記サーバから送られる段階をさらに含むことが好ましい。
【００１３】
また，上記目的を達成するために，本発明は，コンピュータに貯蔵された仮想ＣＤイメージファイルを再生することができる状態に読み出す仮想ＣＤプログラムを利用した仮想ＣＤイメージファイルの不正使用防止方法において，前記仮想ＣＤプログラムの実行時に，ユーザコンピュータの固有番号を前記仮想ＣＤプログラムが指定した前記コンピュータの任意の場所に貯蔵する第１段階と；前記ユーザコンピュータを通じて所定の仮想ＣＤイメージファイルを提供するサーバに接続する第２段階と；ユーザが前記サーバに提供する仮想ＣＤイメージファイルを前記ユーザコンピュータにダウンロードする第３段階と；前記ダウンロードされた仮想ＣＤイメージファイルに前記ユーザコンピュータに貯蔵された固有番号を貯蔵する第４段階と；前記仮想ＣＤイメージファイルの再生が選択された場合，前記ユーザコンピュータに貯蔵された固有番号と前記仮想ＣＤイメージファイルに貯蔵された固有番号とを比較する第５段階と；前記比較の結果，前記ユーザコンピュータに貯蔵された固有番号と前記仮想ＣＤイメージファイルに貯蔵された固有番号とが互いに一致しない場合，前記仮想ＣＤプログラムを通じて前記仮想ＣＤイメージファイルが読み出されることを遮断する第６段階と；を含むことを特徴とする。
【００１４】
ここで，前記第１段階は，前記ユーザコンピュータのＣＭＯＳ−ＲＡＭから前記固有番号を読み出して前記ユーザコンピュータに貯蔵する段階であることが好ましい。
【００１５】
また，前記第２及び第３段階は，前記仮想ＣＤプログラム内のＦＴＰモジュールを駆動して行われる段階であることが好ましい。
【００１６】
また，前記サーバの接続時，ユーザの接続可否を判断する段階をさらに含むことが好ましい。
【００１７】
また，前記第３段階の仮想ＣＤイメージファイルのダウンロード時に，前記ユーザの前記仮想ＣＤイメージファイルの使用権限の可否を判断する認証番号を入力する段階をさらに含んで，認証番号を通じてデータのダウンロード権限の可否を判断することができるようにすることが好ましい。
【００１８】
また，前記ダウンロードされた仮想ＣＤイメージファイルの使用のためのＣＤキーが前記サーバから送られる段階をさらに含むことが好ましい。
【発明の効果】
【００１９】
前述したように，本発明によれば，オンライン上でダウンロードした仮想ＣＤイメージファイルを複製して，他のコンピュータで使用することを防止することができる仮想ＣＤイメージファイルの不正使用を防止する方法を提供することができる。
【発明を実施するための最良の形態】
【００２０】
以下に添付図面を参照しながら，本発明にかかる仮想ＣＤイメージファイルの不正使用防止方法の好適な実施の形態について詳細に説明する。なお，本明細書及び図面において，実質的に同一の機能構成を有する構成要素については，同一の符号を付することにより重複説明を省略する。
【００２１】
図１は，本実施の形態にかかる仮想ＣＤイメージファイルの不正使用を防止するためのシステムの概略構成を示したものである。図１に示すように，仮想ＣＤイメージファイルの不正使用を防止するシステムは，仮想ＣＤプログラム１２２がインストールされるユーザコンピュータ１２０と，仮想ＣＤイメージデータベース１０２を含むサーバ１００と，を含んで構成される。
【００２２】
仮想ＣＤプログラム１２２は，コンピュータハードディスク空間にソフトウェア方式で物理的なＣＤ−ＲＯＭドライブを代えることができる仮想のＣＤ−ＲＯＭドライブを作って，ＣＤ−ＲＯＭの全ての情報をイメージファイルに保管していると，ＣＤがなくてもＣＤの読み出し及び実行をすることができる仮想ＣＤモジュール１２６を含む。
【００２３】
本実施の形態にかかる仮想ＣＤプログラム１２２は，実行時毎にユーザコンピュータ１２０の固有番号を読み出して，仮想ＣＤプログラム１２２内に一時的に貯蔵する。一方，他の実施形態として，固有番号を，仮想ＣＤプログラム１２２のインストール時に仮想ＣＤプログラム１２２が指定したレジストリに貯蔵することもできる。このために仮想ＣＤプログラムは，図１に示したように，固有番号を貯蔵するレジストリを指定するためのコンピュータＩＤ指定モジュール１２８を備えることができる。
【００２４】
また，仮想ＣＤプログラム１２２は，ＦＴＰモジュール１２４を含んでおり，サーバ１００に接続してサーバ１００内の仮想ＣＤイメージデータベース１０２に貯蔵された仮想ＣＤイメージファイルをダウンロードすることができる。また，仮想ＣＤプログラム１２２は，ダウンロードされた仮想ＣＤイメージファイルのヘッダに仮想ＣＤプログラム１２２内に一時的に貯蔵された固有番号を貯蔵する。前述した他の実施形態の場合，レジストリに貯蔵された固有番号を仮想ＣＤイメージファイルに貯蔵する。
【００２５】
また，本実施の形態にかかる仮想ＣＤプログラム１２２は，仮想ＣＤプログラム１２２内に一時的に貯蔵された固有番号や仮想ＣＤプログラム１２２が指定したレジストリに貯蔵された固有番号を，仮想ＣＤイメージファイルに貯蔵された固有番号と比較して，一致する場合だけ，ダウンロードされた仮想ＣＤイメージファイルを読み出す機能を有する。
【００２６】
このような構成を有する，本実施の形態にかかる仮想ＣＤイメージファイルの不正使用防止方法を示すフローチャートを図２に示す。図２に示すように，まず，ユーザは，仮想ＣＤイメージファイルを貯蔵するディレクトリを設定し，スタートアッププログラムの登録の可否の選択及び仮想ＣＤ−ＲＯＭドライブをインストールする過程等を通じて仮想ＣＤプログラム１２２をインストールする（ステップ１０）。
【００２７】
また，ユーザが仮想ＣＤプログラム１２２を実行すると，ユーザコンピュータ１２０のＣＭＯＳ−ＲＡＭからＣＰＵ等の固有番号を読み出して暗号化し，暗号化された固有番号を仮想ＣＤプログラム１２２内の変数に一時的に貯蔵する（ステップ１２）。ここで，固有番号は，一時的に貯蔵されていき，仮想ＣＤプログラム１２２が終了されれば，貯蔵された固有情報がなくなる。即ち，仮想ＣＤプログラム１２２の実行時毎に，ユーザコンピュータ１２０の固有番号の読み出し過程が行われる。これにより，実行時毎に固有番号の確認過程を経ることになる。
【００２８】
また，仮想ＣＤプログラム１２２のＦＴＰメニューを選択して，所定の仮想ＣＤイメージファイル，例えば，ゲーム等のソフトウェアを提供するサーバ１００に接続する（ステップ１４）。サーバ１００の接続時，サーバ１００ではＩＤ及びパスワードの入力をユーザに要求し（ステップ１６），ユーザが入力したＩＤ及びパスワードがサーバ１００に貯蔵されたＩＤ及びパスワードと一致するか否かを判断する（ステップ１８）。ＩＤ及びパスワードが一致する場合，ユーザのサーバ１００の接続が許される。ユーザは，希望する仮想ＣＤイメージファイルを選択し，サーバ１００は選択されたイメージファイルを仮想ＣＤイメージデータベース１０２で読み出す。
【００２９】
読み出されたイメージファイルは，仮想ＣＤプログラム１２２のＦＴＰ駆動によりユーザコンピュータ１２０にダウンロードされる（ステップ２０）。これにより，ダウンロードされた仮想ＣＤイメージファイルのヘッダに，仮想ＣＤプログラム１２２内の変数に一時的に貯蔵された固有番号が貯蔵される（ステップ２２）。また，ユーザは，仮想ＣＤプログラム１２２のＦＴＰ連結を遮断する。
【００３０】
ダウンロードした仮想ＣＤイメージファイルを利用するために，希望する仮想ＣＤイメージファイルを選択すると（ステップ２４），仮想ＣＤプログラム１２２は，選択した仮想ＣＤイメージファイルのヘッダに貯蔵された固有番号と仮想ＣＤプログラム１２２内に一時的に貯蔵された固有番号とを比較して（ステップ２６），一致するか否かを判断する（ステップ２８）。比較の結果，固有番号が一致する場合，仮想ＣＤイメージファイルをローディングすることができる（ステップ３０）。即ち，仮想ＣＤイメージファイルを仮想ＣＤ−ＲＯＭドライブに挿入すると，イメージファイルを利用してソフトウェアをインストールしたりイメージファイル内のデータを利用することができる（ステップ３４）。
【００３１】
一方，ステップ２８における比較の結果，固有番号が一致しない場合には，仮想ＣＤイメージファイルのローディングが遮断される（ステップ３２）。即ち，イメージファイルを不正複製して使用しようとする場合，イメージファイルに貯蔵された固有番号は，イメージファイルを始めて使用したユーザコンピュータ１２０の以外の他コンピュータの固有番号とは異なるので，仮想ＣＤイメージファイルがローディングされない。これにより，仮想ＣＤイメージファイルを不正複製して使用することを防止することができる。
【００３２】
一方，他の実施形態として，ユーザコンピュータ１２０の固有番号を仮想ＣＤプログラム１２２にインストールする時に，仮想ＣＤプログラム１２２が指定したレジストリに貯蔵する場合がある。
【００３３】
図３に示すように，まず，仮想ＣＤプログラム１２２のインストール時に，ＣＭＯＳ−ＲＡＭからＣＰＵ等の固有番号を読み出して，仮想ＣＤプログラム１２２が指定したレジストリに貯蔵する（ステップ４０）。
【００３４】
また，ユーザが仮想ＣＤプログラム１２２を実行させて，サーバからイメージファイルをダウンロードする（ステップ４２〜ステップ４８）。このステップ４２〜ステップ４８は，図２のステップ１４〜ステップ２０と実質的に同一であるので，その説明を省略する。ダウンロードされた仮想ＣＤイメージファイルのヘッダには，仮想ＣＤプログラム１２２が指定したレジストリに貯蔵された固有番号が貯蔵される（ステップ５０）。また，ユーザは仮想ＣＤプログラム１２２のＦＴＰ接続を遮断する。
【００３５】
ダウンロードした仮想ＣＤイメージファイルを利用するために，希望する仮想ＣＤイメージファイルを選択すると（ステップ５２），選択した仮想ＣＤイメージファイルのヘッダに貯蔵された固有番号と，レジストリに貯蔵された固有番号とを比較して（ステップ５４），一致するか否かを判断する（ステップ５６）。比較の結果，固有番号が一致する場合，イメージファイルをローディングすることができ（ステップ５８），これを再生することができる（ステップ６２）。
【００３６】
一方，ステップＳ５６における比較の結果，固有番号が一致しない場合には，イメージファイルのローディングが遮断される（ステップ６０）。即ち，オンライン上でダウンロードされた後，ユーザコンピュータ１２０の固有番号が貯蔵されたイメージファイルを複写して他のコンピュータで使用しようとする時，その使用が許されない。
【００３７】
一方，前述した実施形態では，仮想ＣＤプログラム１２２内のＦＴＰメニューを通じて仮想ＣＤイメージファイルを提供するサーバ１００に接続することについて詳述したが，これに限られず，仮想ＣＤプログラム１２２の以外の他ＦＴＰプログラムによりサーバ１００に接続することもできる。
【００３８】
一方，前述した実施形態で，ダウンロードした仮想ＣＤイメージファイルの使用のためにＣＤキーが必要である場合，ＣＤキーがサーバ１００から送られる段階をさらに含むことができる。
【００３９】
このように，本発明はサーバ１００からダウンロードした仮想ＣＤイメージファイルにユーザコンピュータ１２０の固有番号を貯蔵させ，この固有番号を有するユーザコンピュータだけで動作するようにして，サーバ１００からダウンロードした仮想ＣＤイメージファイルを複製して使用権限のないユーザが使用することを制限することができる。
【００４０】
以上，添付図面を参照しながら本発明にかかる仮想ＣＤイメージファイルの不正使用防止方法の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【産業上の利用可能性】
【００４１】
本発明は，コンピュータに貯蔵された仮想ＣＤイメージファイルを再生することができる状態に読み出す仮想ＣＤプログラムを利用した，仮想ＣＤイメージファイルの不正使用（不法使用）の防止方法に利用可能である。
【図面の簡単な説明】
【００４２】
【図１】仮想ＣＤイメージファイルの不正使用防止システムの概略構成を示す説明図である。
【図２】仮想ＣＤイメージファイルの不正使用防止方法を示すフローチャートである。
【図３】他の実施形態による仮想ＣＤイメージファイルの不正使用防止方法を示すフローチャートである。
【符号の説明】
【００４３】
１００  サーバ
１０２  仮想ＣＤイメージデータベース
１０４  ＦＴＰモジュール
１１６  インターネット
１２０  ユーザコンピュータ
１２２  仮想ＣＤプログラム
１２４  ＦＴＰモジュール
１２６  仮想ＣＤモジュール
１２８  コンピュータＩＤ指定モジュール
【図１】
2004185599.tif 000003
【図２】
2004185599.tif 000004
【図３】
2004185599.tif 000005